(57)【要約】【課題】アンテナ調整設計が簡略化でき且つＲＦＩＣの使用数の削減が可能な極めて実用性に秀れたＲＦＩＤタグ位置検出システムの提供。【解決手段】送受信アンテナ部１をＸ座標軸及びＹ座標軸に沿ってマトリックス状に設け、一のＸ座標上でＹ方向に並設される全ての前記送受信アンテナ部１を介して所定領域内のＲＦＩＤタグ２から応答信号を送信させる質問信号の送信若しくは前記応答信号の受信を行うＲＦＩＣを含むＸ方向信号処理部３を前記送受信アンテナ部１の各Ｙ方向列に対応して夫々設け、一のＹ座標上でＸ方向に並設される全ての前記送受信アンテナ部１を介して前記応答信号の受信若しくは前記質問信号の送信を行うＲＦＩＣを含むＹ方向信号処理部４を前記送受信アンテナ部１の各Ｘ方向列に対応して夫々設ける。【選択図】図２
2010266227.tif 000002
【特許請求の範囲】
【請求項１】
送受信アンテナ部をＸ座標軸及びＹ座標軸に沿ってマトリックス状に設け、一のＸ座標上でＹ方向に並設される全ての前記送受信アンテナ部を介して、所定領域内のＲＦＩＤタグから応答信号を送信させる質問信号の送信若しくは前記応答信号の受信を行うＲＦＩＣを含むＸ方向信号処理部を前記送受信アンテナ部の各Ｙ方向列に対応して夫々設け、一のＹ座標上でＸ方向に並設される全ての前記送受信アンテナ部を介して、前記応答信号の受信若しくは前記質問信号の送信を行うＲＦＩＣを含むＹ方向信号処理部を前記送受信アンテナ部の各Ｘ方向列に対応して夫々設け、前記Ｘ方向信号処理部によりＹ方向列毎に送信若しくは受信を行わせると共に、Ｙ方向信号処理部によりＸ方向列毎に受信若しくは送信を行わせ、前記Ｘ方向信号処理部若しくは前記Ｙ方向信号処理部で前記送受信アンテナ部を介して前記応答信号を受信した際、前記質問信号を送信若しくは前記応答信号を受信した前記Ｘ方向信号処理部と前記応答信号を受信若しくは前記質問信号を送信した前記Ｙ方向信号処理部とを特定してＲＦＩＤタグの位置を検出するＲＦＩＤタグ位置検出部を備えたことを特徴とするＲＦＩＤタグ位置検出システム。
【請求項２】
前記各Ｘ方向信号処理部に一のＸ座標上でＹ方向に並設される全ての前記送受信アンテナ部単位で順次前記質問信号の送信を行わせ、前記Ｙ方向信号処理部で前記送受信アンテナ部を介して前記応答信号を受信した際、前記質問信号を送信した前記Ｘ方向信号処理部及び前記応答信号を受信した前記Ｙ方向信号処理部を特定してＲＦＩＤタグの位置を検出するように前記ＲＦＩＤタグ位置検出部を構成したことを特徴とする請求項１記載のＲＦＩＤタグ位置検出システム。
【請求項３】
前記Ｘ方向信号処理部は前記質問信号の送信のみを行うように構成し、前記Ｙ方向信号処理部は前記応答信号の受信のみを行うように構成したことを特徴とする請求項１，２のいずれか１項に記載のＲＦＩＤタグ位置検出システム。
【請求項４】
前記Ｘ方向信号処理部及び前記Ｙ方向信号処理部は、前記質問信号の送信及び前記応答信号の受信を行うように構成したことを特徴とする請求項１記載のＲＦＩＤタグ位置検出システム。
【請求項５】
送受信アンテナ部をＸ座標軸及びＹ座標軸に沿ってマトリックス状に設け、一のＸ座標上でＹ方向に並設される全ての前記アンテナ部を介して、高周波信号を出力させて所定領域内のＲＦＩＤタグに電力を供給するＲＦＩＣを含むＸ方向信号処理部を前記送受信アンテナ部の各Ｙ方向列に対応して夫々設け、一のＹ座標上でＸ方向に並設される全ての前記送受信アンテナ部を介して、所定領域内のＲＦＩＤタグに応答信号を送信させる質問信号の変調及び前記応答信号の復調を行うＲＦＩＣを含むＹ方向信号処理部を前記送受信アンテナ部の各Ｘ方向列に対応して夫々設け、前記各Ｘ方向信号処理部に一のＸ座標上でＹ方向に並設される全ての前記送受信アンテナ部単位で順次前記高周波信号の出力を行わせ、前記Ｙ方向信号処理部で前記送受信アンテナ部を介して前記質問信号に対する前記応答信号を復調した際、前記高周波信号の出力を行わせて電力を供給した前記Ｘ方向信号処理部及び前記応答信号を復調した前記Ｙ方向信号処理部を特定してＲＦＩＤタグの位置を検出するＲＦＩＤタグ位置検出部を備えたことを特徴とするＲＦＩＤタグ位置検出システム。
【発明の詳細な説明】
【技術分野】
【０００１】
本発明は、ＲＦＩＤタグ位置検出システムに関するものである。
【背景技術】
【０００２】
例えば特許文献１に開示されるように、物品にＲＦＩＤ(Radio Frequency IDentification)タグを取り付け、このＲＦＩＤタグの位置を、ＲＦＩＣ(Radio Frequency Integrated Circuit)からなる送受信回路を含むリーダライタ制御部によって制御される複数のアンテナを用いて検出することで物品の位置検出を行う位置検出システムが提案されている。
【０００３】
ところで、アンテナの制御は、全てのアンテナを１つのリーダライタ制御部に接続して該リーダライタ制御部に内蔵されたスイッチング機能によりアンテナとの接続を切り替えて使用したり（図１）、各アンテナ毎にリーダライタ制御部を設置したりして行っている。図１中、符号21はアンテナ、22はＲＦＩＤタグ、23はリーダライタ制御部、24はＣＰＵである。
【先行技術文献】
【特許文献】
【０００４】
【特許文献１】特開２００７−１２１０１４号公報
【発明の概要】
【発明が解決しようとする課題】
【０００５】
しかしながら、一般的には、ＲＦＩＤタグの位置検出は、アンテナからの質問信号を一定の送信電波強度としてＲＦＩＤタグからアンテナに届く応答信号の強さや、送信電波強度と送信可能距離の関係をもとに行っており、アンテナ個々の配置とＲＦＩＣ（送受信回路）との関係が夫々異なるため、その経路に合わせてアンテナ特性を調整しなければならず、アンテナの個数が増えると１：ｎの調整が必要となり、それだけ設計工数が増加し厄介である。
【０００６】
また、各アンテナ毎にリーダライタ制御部を設置する場合、各アンテナ毎に高価なＲＦＩＣが必要となり、それだけコスト高となる。
【０００７】
本発明は、上述のような現状に鑑みなされたもので、アンテナ調整設計が簡略化でき且つＲＦＩＣの使用数の削減が可能な極めて実用性に秀れたＲＦＩＤタグ位置検出システムを提供するものである。
【課題を解決するための手段】
【０００８】
添付図面を参照して本発明の要旨を説明する。
【０００９】
送受信アンテナ部１をＸ座標軸及びＹ座標軸に沿ってマトリックス状に設け、一のＸ座標上でＹ方向に並設される全ての前記送受信アンテナ部１を介して所定領域内のＲＦＩＤタグ２から応答信号を送信させる質問信号の送信若しくは前記応答信号の受信を行うＲＦＩＣを含むＸ方向信号処理部３を前記送受信アンテナ部１の各Ｙ方向列に対応して夫々設け、一のＹ座標上でＸ方向に並設される全ての前記送受信アンテナ部１を介して前記応答信号の受信若しくは前記質問信号の送信を行うＲＦＩＣを含むＹ方向信号処理部４を前記送受信アンテナ部１の各Ｘ方向列に対応して夫々設け、前記Ｘ方向信号処理部３によりＹ方向列毎に送信若しくは受信を行わせると共に、Ｙ方向信号処理部４によりＸ方向列毎に受信若しくは送信を行わせ、前記Ｘ方向信号処理部３若しくは前記Ｙ方向信号処理部４で前記送受信アンテナ部１を介して前記応答信号を受信した際、前記質問信号を送信若しくは前記応答信号を受信した前記Ｘ方向信号処理部３と前記応答信号を受信若しくは前記質問信号を送信した前記Ｙ方向信号処理部４とを特定してＲＦＩＤタグ２の位置を検出するＲＦＩＤタグ位置検出部を備えたことを特徴とするＲＦＩＤタグ位置検出システムに係るものである。
【００１０】
また、前記各Ｘ方向信号処理部３に一のＸ座標上でＹ方向に並設される全ての前記送受信アンテナ部単位で順次前記質問信号の送信を行わせ、前記Ｙ方向信号処理部４で前記送受信アンテナ部１を介して前記応答信号を受信した際、前記質問信号を送信した前記Ｘ方向信号処理部３及び前記応答信号を受信した前記Ｙ方向信号処理部４を特定してＲＦＩＤタグ２の位置を検出するように前記ＲＦＩＤタグ位置検出部を構成したことを特徴とする請求項１記載のＲＦＩＤタグ位置検出システムに係るものである。
【００１１】
また、前記Ｘ方向信号処理部３は前記質問信号の送信のみを行うように構成し、前記Ｙ方向信号処理部４は前記応答信号の受信のみを行うように構成したことを特徴とする請求項１，２のいずれか１項に記載のＲＦＩＤタグ位置検出システムに係るものである。
【００１２】
また、前記Ｘ方向信号処理部３及び前記Ｙ方向信号処理部４は、前記質問信号の送信及び前記応答信号の受信を行うように構成したことを特徴とする請求項１記載のＲＦＩＤタグ位置検出システムに係るものである。
【００１３】
また、送受信アンテナ部１をＸ座標軸及びＹ座標軸に沿ってマトリックス状に設け、一のＸ座標上でＹ方向に並設される全ての前記アンテナ部を介して高周波信号を出力させて所定領域内のＲＦＩＤタグ２に電力を供給するＲＦＩＣを含むＸ方向信号処理部３を前記送受信アンテナ部１の各Ｙ方向列に対応して夫々設け、一のＹ座標上でＸ方向に並設される全ての前記送受信アンテナ部１を介して所定領域内のＲＦＩＤタグ２に応答信号を送信させる質問信号の変調及び前記応答信号の復調を行うＲＦＩＣを含むＹ方向信号処理部４を前記送受信アンテナ部１の各Ｘ方向列に対応して夫々設け、前記各Ｘ方向信号処理部３に一のＸ座標上でＹ方向に並設される全ての前記送受信アンテナ部単位で順次前記高周波信号の出力を行わせ、前記Ｙ方向信号処理部４で前記送受信アンテナ部１を介して前記質問信号に対する前記応答信号を復調した際、前記高周波信号の出力を行わせて電力を供給した前記Ｘ方向信号処理部３及び前記応答信号を復調した前記Ｙ方向信号処理部４を特定してＲＦＩＤタグ２の位置を検出するＲＦＩＤタグ位置検出部を備えたことを特徴とするＲＦＩＤタグ位置検出システムに係るものである。
【発明の効果】
【００１４】
本発明は上述のようにするから、アンテナ調整設計が簡略化でき且つＲＦＩＣの使用数の削減が可能な極めて実用性に秀れたＲＦＩＤタグ位置検出システムとなる。
【図面の簡単な説明】
【００１５】
【図１】従来例の概略説明図である。
【図２】本実施例の概略説明図である。
【図３】別例１の概略説明図である。
【図４】別例２の概略説明図である。
【図５】ＲＦＩＣの概略説明図である。
【発明を実施するための形態】
【００１６】
好適と考える本発明の実施形態（発明をどのように実施するか）を、図面に基づいて本発明の作用を示して簡単に説明する。
【００１７】
送受信アンテナ部１を介して質問信号を送信し、この質問信号に対する応答信号を受信し、送受信アンテナ部１を介して送受信を行ったＸ方向信号処理部３及びＹ方向信号処理部４を特定することで、特定されたＸ方向信号処理部３のＹ方向延長線及びＹ方向信号処理部４のＸ方向延長線の交差部に位置する送受信アンテナ部１近傍にＲＦＩＤタグ２が存在することを検出する。
【００１８】
この際、マトリックス状に設けた送受信アンテナ部１を、この送受信アンテナ部１のＹ方向列及びＸ方向列に夫々対応して設けたＸ方向信号処理部３及びＹ方向信号処理部４により各Ｘ方向列及び各Ｙ方向列毎に制御するため、各信号処理部毎に送受信アンテナ部１とＲＦＩＣとの関係をパターン化でき（各信号処理部と対応する各送受信アンテナ部１とは一直線状となり関係は極めて簡単なパターンとなる）、それだけアンテナの設計調整が容易となり、また、各送受信アンテナ部１にＲＦＩＣを設ける場合に比し、ＲＦＩＣの使用数を削減でき、それだけコスト安となる（ＸＹ方向の並設数が増えるほど顕著となる）。
【００１９】
また、Ｘ方向信号処理部３とＹ方向信号処理部４のいずれか一方に送受信アンテナ部１から質問信号を送信させるための機能（変調機能）だけを持たせ、他方に送受信アンテナから応答信号を受信するための機能（復調機能）だけを持たせても、順次各Ｘ方向信号処理部３と各Ｙ方向信号処理部４により交差部にＲＦＩＤタグ２があるか否かを調べることで、ＲＦＩＤタグ２の位置検出が可能であるから、それだけコストダウンを図ることが可能となる。
【００２０】
例えば、Ｘ方向信号処理部３により、一のＸ座標上でＹ方向に並設される全ての送受信アンテナ部単位で順次質問信号の送信を行わせ、Ｙ方向信号処理部４で送受信アンテナ部１を介して応答信号を受信した際、質問信号の送信を行わせたＸ方向信号処理部３及び応答信号を受信したＹ方向信号処理部４を特定してＲＦＩＤタグ２の位置を検出するように構成した場合には、Ｘ方向信号処理部３に変調機能だけを持たせ、Ｙ方向信号処理部４に復調機能だけを持たせても効率的にＲＦＩＤタグ２の位置検出が可能となり、また、細かいアンテナ特性の調整が不要となり、一層コスト安となる。
【００２１】
従って、本発明は、例えば多数の鍵を縦横に並設状態に収納する壁掛け用のキーボックスの、鍵を掛ける壁面に各鍵の収納位置に対応するように多数の送受信アンテナ部１をマトリックス状に設け、各鍵にＲＦＩＤタグ２を取り付け、ＲＦＩＤタグ位置検出部を外部コンピュータと接続し、この外部コンピュータにおいてＲＦＩＤタグ位置検出結果を表示できるようにすることで、各鍵の収納状況を目視によらずとも遠隔地から把握可能となるなど、極めて実用性に秀れたＲＦＩＤタグ位置検出システムとなる。
【実施例】
【００２２】
本発明の具体的な実施例について図面に基づいて説明する。
【００２３】
本実施例は、１３．５６ＭＨｚ帯の誘導式ＲＦＩＤリーダライタシステムであって、送受信アンテナ部１をＸＹ平面上にＸ座標軸及びＹ座標軸に沿ってマトリックス状に設け、一のＸ座標上でＹ方向に並設される全ての前記送受信アンテナ部１を介して所定領域内のＲＦＩＤタグ２から応答信号を送信させる質問信号の送信を行うＲＦＩＣを含むＸ方向信号処理部３を前記送受信アンテナ部１の各Ｙ方向列に対応して夫々設け、一のＹ座標上でＸ方向に並設される全ての前記送受信アンテナ部１を介して所定領域内のＲＦＩＤタグ２からの前記応答信号の受信を行うＲＦＩＣを含むＹ方向信号処理部４を前記送受信アンテナ部１の各Ｘ方向列に対応して夫々設け、前記各Ｘ方向信号処理部３に一のＸ座標上でＹ方向に並設される全ての前記送受信アンテナ部単位で順次前記質問信号の送信を行わせ、前記Ｙ方向信号処理部４で前記送受信アンテナ部１を介して前記応答信号を受信した際、前記質問信号を送信した前記Ｘ方向信号処理部３及び前記応答信号を受信した前記Ｙ方向信号処理部４を特定してＲＦＩＤタグ２の位置を検出するＲＦＩＤタグ位置検出部を備えたものである。
【００２４】
送受信アンテナ部１は、Ｘ方向信号処理部３及びＹ方向信号処理部４の交差部（Ｘ方向信号処理部３からのＹ方向延長線とＹ方向信号処理部４からのＸ方向延長線との交差部）に夫々設けられる。具体的には、その両端部が夫々Ｘ方向信号処理部３（のＲＦＩＣ）に接続される線材にして前記交差部位置にループ（ループアンテナ）を設けて形成される。尚、送受信アンテナ部１はＹ方向信号処理部４とは接続されていないが、（図中想像線内で）高周波結合により送受信が可能である。また、送受信アンテナ部１は、本実施例のように一若しくは複数のアンテナの一部にループを設けて構成しても良いし、夫々別体のアンテナから構成しても良い。また、送受信アンテナ部１はＸ方向信号処理部３及びＹ方向信号処理部４の双方と高周波結合により送受信するように設定することで、Ｘ方向信号処理部３及びＹ方向信号処理部４の双方と接続しない構成とすることもできる。
【００２５】
Ｘ方向信号処理部３及びＹ方向信号処理部４は夫々、制御部５（ＣＰＵなどからなる）に接続されるＲＦＩＣで構成される。具体的には、ＲＦＩＣは一般には図５に図示したように、ＣＰＵに接続されるホストインターフェース部を有し、このホストインターフェース部にフレーミング処理部を介して夫々変調部及び復調部が接続されるものである。変調部は変調器と発振器と増幅器とで構成され、復調部は復調器と整流器とで構成される。
【００２６】
本実施例においては、Ｘ方向信号処理部３は質問信号の送信のみを行うように構成し、Ｙ方向信号処理部４は応答信号の受信のみを行うように構成しているため、Ｘ方向信号処理部３は変調処理機能（Ｔｘ）のみを有するように図５における復調器と整流器とがない構成（変調部のみ有する構成）としている。また、Ｙ方向信号処理部４は復調処理機能（Ｒｘ）のみを有するように図５における変調器と発振器と増幅器とがない構成（復調部のみ有する構成）としている。
【００２７】
ＲＦＩＤタグ位置検出部は、上記制御部５により構成される。制御部５は、Ｘ方向信号処理部３への送信制御とＹ方向信号処理部４からの受信制御とを行う。具体的には制御部５は、夫々のＸ方向信号処理部３への送信制御を時分割制御にて行い、夫々のＸ方向信号処理部３により質問信号が送信された直後に全てのＹ方向信号処理部４において受信開始制御を行う。この際、Ｙ方向信号処理部４において応答信号を受信した時にのみ当該Ｙ方向信号処理部４から制御部５に応答を受信した旨を伝える応答受信信号が送信され、この応答受信信号を受信した制御部５はＹ方向信号処理部４における受信内容（ＲＦＩＤの固有の識別ＩＤ）を受け取る。制御部５は、送信制御設定により質問信号を送信したＸ方向信号処理部３とその時にＲＦＩＤタグ２からの応答信号を受信したＹ方向信号処理部４とを特定できるため、その交点に当該ＲＦＩＤタグ２の存在を確認できる。尚、複数のＹ方向信号処理部４から応答受信信号の送信があった場合は、制御部５は夫々のＹ方向信号処理部４における受信内容を受け取り、各ＲＦＩＤタグ２を識別する。
【００２８】
従って、例えば図２に図示したように、送受信アンテナ部１を、Ｘ方向並設数を２、Ｙ方向並設数を３として計６つマトリックス状にならべ、その長方形状の外縁に沿うようにＸ方向信号処理部３を送受信アンテナ部１のＸ方向並設数と同数の２つ、Ｙ方向信号処理部４をＹ方向並設数と同数の３つ、夫々Ｘ方向及びＹ方向に並設した構成の場合、例えばＸ方向信号処理部３においてはＢ→Ａの順に同一Ｘ座標上のＹ方向に並設される全ての送受信アンテナ部１から所定領域内に質問信号を送信していくと共に、Ｙ方向信号処理部４においてはＣ〜Ｅ全てにおいて各Ｘ方向列毎に受信可能な状態とすると、Ｂにおいて質問信号を送信した後、続いてＡにおいて質問信号を送信する。ここで、ＤにおいてＲＦＩＤタグ２（Ｔａｇ）からの応答信号を受信すると、制御部５において、現在送信していたＸ方向信号処理部３がＡであり、応答信号を受信したＹ方向信号処理部４がＤであることが特定され、このＡとＤの交差部にはＲＦＩＤタグ２（を設けた物品）が存在することを検出できることになる。この検出結果は適宜な表示部に表示するようにしても良いし外部コンピュータ等に送信しても良い。また、各交差部には適宜番地を付けて番地ごとに結果を記録する構成としても良い。
【００２９】
本実施例においては上述のようにしているが、図３に図示した別例１のように、Ｘ方向信号処理部３及びＹ方向信号処理部４は、質問信号の送信及び応答信号の受信を行うように構成しても良い。この場合、Ｘ方向信号処理部３から上記時分割処理により順次質問信号を送信させＹ方向信号処理部４で応答信号を受信し、更に、Ｙ方向信号処理部４から同様に時分割処理により順次質問信号を送信させＸ方向信号処理部３で応答信号を受信することが可能となり、ＲＦＩＤタグ２の検出を一層確実に行えることになる。また、Ｘ方向信号処理部３で送受信制御してＲＦＩＤタグを検出し、Ｙ方向信号処理部４で送受信制御してＲＦＩＤタグを再度検出することにより、ＲＦＩＤタグの位置を検出することもできる。
【００３０】
また、この際、制御部５は、検出結果を記録する記録手段と、Ｘ方向信号処理部３及びＹ方向信号処理部４からの質問信号の送信強度及び信号送信間隔を制御する信号処理部制御手段と、Ｘ方向信号処理部３及びＹ方向信号処理部４において応答信号を受信した際に、当該受信した信号処理部を特定すると共にいずれの信号処理部からの質問信号かを判別してＲＦＩＤタグ位置を特定する位置特定手段とを備えている。
【００３１】
また、図４に図示した別例２のように、送受信アンテナ部１をＸ座標軸及びＹ座標軸に沿ってマトリックス状に設け、一のＸ座標上でＹ方向に並設される全ての前記アンテナ部を介して高周波信号を出力させて所定領域内のＲＦＩＤタグ２に電力を供給するＲＦＩＣを含むＸ方向信号処理部３を前記送受信アンテナ部１の各Ｙ方向列に対応して夫々設け、一のＹ座標上でＸ方向に並設される全ての前記送受信アンテナ部１を介して所定領域内のＲＦＩＤタグ２に前記応答信号を送信させる質問信号の変調及び前記応答信号の復調を行うＲＦＩＣを含むＹ方向信号処理部４を前記送受信アンテナ部１の各Ｘ方向列に対応して夫々設け、前記各Ｘ方向信号処理部３に一のＸ座標上でＹ方向に並設される全ての前記送受信アンテナ部単位で順次前記高周波信号の出力を行わせ、前記Ｙ方向信号処理部４で前記送受信アンテナ部１を介して前記質問信号に対する前記応答信号を復調した際、前記高周波信号の出力を行わせて電力を供給した前記Ｘ方向信号処理部３及び前記応答信号を復調した前記Ｙ方向信号処理部４を特定してＲＦＩＤタグ２の位置を検出するＲＦＩＤタグ位置検出部を備えた構成としても良い。尚、本実施例においては、上記変調はＲＦＩＤタグ２に電力を供給することなく、前記Ｘ方向信号処理部３が出力している高周波信号の振幅を前記Ｙ方向信号処理部４のアンテナ負荷をオン／オフすることで負荷変調し、ＲＦＩＤタグに質問信号を送信する意味であり、具体的に本実施例において変調＋電力の供給を意味する送信とは、電力供給用の高周波信号を送信しない点で異なる。
【００３２】
この場合には、Ｙ方向信号処理部４にのみ変復調機能（ＴｘＲｘ）を持たせれば良く、Ｘ方向信号処理部３には単に電力供給用の高周波信号送信機能（Ｐｏｗ）を持たせれば良く、図５における復調器及び整流器と変調器、発振器及び増幅器とは不要となり、それだけコスト安となる。
【００３３】
また、この際、制御部５は、検出結果を記録する記録手段と、Ｘ方向信号処理部３からの高周波信号出力時間（一のＸ方向信号処理部３における出力時間）を制御するＸ方向信号処理部制御手段と、Ｙ方向信号処理部４において応答信号を復調した際に、当該復調したＹ方向信号処理部４を特定すると共にいずれのＸ方向信号処理部３から高周波信号が出力されているかを判別してＲＦＩＤタグ位置を特定する位置特定手段とを備えている。尚、Ｙ方向信号処理部４においてはＸ方向信号処理部３から順次出力を始めてから変復調可能状態とするように設定される。Ｘ方向信号処理部制御手段において、一のＸ方向信号処理部３における出力を設定することで、どのＸ方向信号処理部３から高周波信号を出力していたかを特定することができる。また、Ｙ方向信号処理部４はどのＹ方向信号処理部４からの質問信号の変調に対して、応答信号を復調（受信）したかを知ることで特定することができる。
【００３４】
尚、本実施例は、受信した信号から電力が供給される所謂パッシブＲＦＩＤに対して用いる１３．５６ＭＨｚ帯の誘導式ＲＦＩＤリーダライタシステムに本発明を適用した例であるが、例えば電力供給用のバッテリーを有する所謂セミパッシブＲＦＩＤとの間で無線通信を行う２．４ＧＨｚ帯の電波式ＲＦＩＤリーダライタシステムに適用するなど、本発明は、本実施例に限られるものではなく、各構成要件の具体的構成は適宜設計し得るものである。
【符号の説明】
【００３５】
１  送受信アンテナ部
２  ＲＦＩＤタグ
３  Ｘ方向信号処理部
４  Ｙ方向信号処理部
【図１】
2010266227.tif 000003
【図２】
2010266227.tif 000004
【図３】
2010266227.tif 000005
【図４】
2010266227.tif 000006
【図５】
2010266227.tif 000007